(57)【要約】【課題】人体頭部及び手によるアンテナ特性の劣化を防ぐと共に電磁波による人体頭部への影響を改善する。【解決手段】携帯無線機は、筐体１１の表面に、液晶部１２、操作部１３、送話部１４、受話部１５、筐体１１上面に突出して固定されたアンテナ部１６を有し、その構成は上からアンテナ部１６、送話部１４、液晶部１２、操作部１３、受話部１５の順に配置されている。通話時には、送話部１４を口、受話部１５を耳付近に保持して使用するため、アンテナ部１６は人体頭部から離れた位置にあるので人体頭部が近傍にあることによるアンテナ特性の劣化を防ぎ、かつ電磁波が人体頭部に与える悪影響が改善されている。【選択図】　　　図１
2004015414.tif 000002
【特許請求の範囲】
【請求項１】
筐体の表面に表示部、操作部、受話部、送話部を設け、さらに筐体の一端部にアンテナ部を設けた携帯無線機において、
前記アンテナ部を設けた一端部の近傍に送話部、他端部の近傍に受話部を設けたとを特徴とする携帯無線機。
【請求項２】
前記筐体は、開閉または摺動可能な第１及び第２の筐体から構成され、該第１の筐体は表示部、アンテナ部、送話部を有し、該第２の筐体は操作部、受話部を有することを特徴とする請求項１記載の携帯無線機。
【請求項３】
通話モードおよびデータ通信モードを有する請求項１または２項記載の携帯無線機。
【請求項４】
前記アンテナ部は、前記筐体に引出・収納可能であることを特徴とする請求項１〜３のいずれか１項記載の携帯無線機。
【請求項５】
前記表示部の表示方向を上下反転させる表示切換装置を有することを特徴とする請求項１〜４のいずれか１項に記載の携帯無線機。
【請求項６】
前記操作部の文字表示を上下反転させる操作部表示切換装置を有することを特徴とする請求項１〜５のいずれか１項に記載の携帯無線機。
【請求項７】
前記受話部と前記送話部を切換える音声切換部を有することを特徴とする請求項１〜６のいずれか１項に記載の携帯無線機。
【請求項８】
前記音声切換部は、前記筐体背面に配置されたスイッチであることを特徴とする請求項７記載の携帯無線機。
【請求項９】
前記音声切換部は、前記筐体背面に配置された光センサーであることを特徴とする請求項７記載の携帯無線機。
【請求項１０】
前記音声切換部は、通話／データ通信モードを判別する装置であることを特徴とする請求項７記載の携帯無線機。
【発明の詳細な説明】
【０００１】
【発明の属する技術分野】
本発明は、筐体に表示部、操作部、受話部、送話部、アンテナ部を有する携帯無線機に係り、特にシャドウイングや減衰等の人体頭部の影響によるアンテナ部の特性を改良するとともに、人体頭部が電磁波を吸収することによる人体への悪影響を除去した携帯無線機に関する。
【０００２】
【従来の技術】
近年、携帯電話等の準マイクロ波帯を使用した各種移動体通信が脚光を浴びており、音声通話だけでなくメール、ブラウジング等のデータ通信も広く行われている、と同時に小型化が進み通話時にはアンテナが人体頭部側面に保持した状態で通信が行われている。
【０００３】
図１５に従来の携帯無線機の一例を示す。
図１５の携帯無線機は、筐体１０１の表面に送話部１０５、受話部１０４、操作部１０３、ユーザインタフェイス部である液晶部１０２、筐体１０１上部に引出・収納可能なアンテナ部１０６を有し、受話部１０４は筐体上部、送話部１０５は筐体下部に設置されている。
また通話時には使用者は受話部を耳、送話部を口付近に保持して通話を行う。したがって通話時にはアンテナ部１０６は人体頭部側面近傍に固定されて用いられている。
【０００４】
図１６に従来の携帯無線機の他の例を示す。
図１６の携帯無線機は筐体１１１の表面に送話部１１５、受話部１１４、操作部１１３、ユーザインタフェイス部である液晶部１１２、筐体１１１下部に引出・収納可能なアンテナ部１１６を有し、受話部１１４は筐体上部、送話部１１５は筐体下部に設置されており、液晶部１１２は操作部１１３より上に配置されている。
【０００５】
【発明が解決しようとする課題】
筐体の上部にアンテナが配置されている携帯無線機において、実際に使用する際に使用者は受話部を耳に、送話部を口付近に位置するように保持して通話を行う。この際にアンテナ部は人体頭部側面に近傍するため、シャドウイングや減衰等の人体頭部の影響によりアンテナ部の特性が劣化する。さらに人体頭部が電磁波を吸収することによる人体への悪影響が懸念されている。
【０００６】
また筐体下部にアンテナが配置されている携帯無線機において、通話時にはアンテナ部は人体頭部から離れて使用されているが、メール、ブラウジング等のデータ通信時に使用者は筐体下部をもって使用するため手がアンテナ近傍または触れる状態にあるので、手によるアンテナ特性の劣化が考えられる。
【０００７】
本発明は、上記課題に鑑みてなされたものであり、通話時のみでなくデータ通信時にも人体頭部及び手によるアンテナ特性劣化の小さい携帯無線機を提供するものである。
【０００８】
【課題を解決するための手段】
本発明は、筐体の表面に表示部、操作部、受話部、送話部を設け、さらに筐体の一端部にアンテナ部を設けた携帯無線機において、前記アンテナ部を設けた一端部の近傍に送話部、他端部の近傍に受話部を設けたとを特徴とする。
こうして、使用者は通話時に受話部を耳、該送話部を口付近に保持して通話を行うため、通話時にはアンテナ部が下側に位置し、人体頭部から離れた位置で使用される。また、この通話時は、表示部が操作部より下側に位置する。
【０００９】
また、本発明は、前記筐体が、開閉または摺動可能な第１及び第２の筐体から構成され、該第１の筐体は表示部、アンテナ部、送話部を有し、該第２の筐体は操作部、受話部を有することを特徴とする。
こうして、使用者は通話時に該受話部を耳、該送話部を口付近に保持して通話を行うため、通話時にはアンテナ部が人体頭部から離れた位置で使用される。また本携帯無線機は２つの筐体から構成され通話時には開いて使用されるので、全長が長くなるのでアンテナ部と人体頭部と携帯無線機は、使用者は通話時に受話部を耳、送話部を口付近に保持して通話を行うため、通話時にはアンテナ部が人体頭部から離れた位置で使用される。また該携帯無線機はデータ通信時には、表示部が操作部より上になるような状態で使用するため使用者は筐体下部を握って通信を行うがアンテナ部は筐体の上側にあるため手がアンテナに触れることがない。
【００１０】
また、本発明は、通話モードおよびデータ通信モードを有することを特徴とする。
こうして、使用者は通話時に受話部を耳、送話部を口付近に保持して通話を行うため、通話時にはアンテナ部が人体頭部から離れた位置で使用されるが、アンテナを引出すことによって人体頭部との距離をさらに広げて使用される。
【００１１】
また、本発明は、前記アンテナ部が、前記筐体に引出・収納可能であることを特徴とする。
こうして、使用者は通話時に受話部を耳、送話部を口付近に保持して通話を行うため、通話時には表示部の表示方向が上下逆さまに表示されるが、表示切換装置によって表示方向を上下反転させて通話時にも表示部の表示方向を調整する。
【００１２】
また、本発明は、前記表示部の表示方向を上下反転させる表示切換装置を有することを特徴とする。
こうして、使用者は通話時に受話部を耳、送話部を口付近に保持して通話を行うため、通話時には表示部の表示方向が上下逆さまに表示されるが、表示切換装置によって表示方向を上下反転させて通話時にも表示部の表示方向を調整する。
【００１３】
また、本発明は、前記操作部の文字表示を上下反転させる操作部表示切換装置を有することを特徴とする。
こうして、使用者は通話時に受話部を耳、送話部を口付近に保持して通話を行うため、通話時には操作部の文字表示が上下逆さまに表示されるが、操作部表示切換装置によって表示方向を上下反転させて通話時にも操作部の文字表示方向を調整する。
【００１４】
また、本発明は、前記受話部と前記送話部を切換える音声切換部を有することを特徴とする。
この携帯無線機は通話時とデータ通信時とで上下１８０度反転させて使用するが、ユーザーによっては従来通りの使用法が良いと考える可能性があるため、音声切換装置により受話部と送話部を切換えることで２通りの使用法が可能となる。
【００１５】
また、本発明は、前記音声切換部が、前記筐体背面に配置されたスイッチであることを特徴とする。
この携帯無線機は受話部と送話部の配置を切換えることができるが、使用者にとって切換え方法は簡単かつ確実な方法が望ましい。使用者は本携帯無線機を持って使用する場合に手は筐体を包むように持つため、筐体背面に切換装置としてボタンを設置することによって、非常に操作がしやすく確実に切換えを行うことができるようになる。
【００１６】
また、本発明は、前記音声切換部が、前記筐体背面に配置された光センサーであることを特徴とする。
使用者は通話時に筐体を持って通話を行うが、筐体背面に音声切換部として光センサーを設置することによって操作を行うことなく筐体を持つ位置によって受話部と送話部の切換えが可能である。これにより使用者は特に意識することなく通話状態に移行することができ、わずらわしい操作を行う必要がなくなる。
【００１７】
また、本発明は、前記音声切換部が、通話／データ通信モーを判別する装置であることを特徴とする。
こうして、通話・データ通信時のモードを判別・切換を行う装置を有することによって、用途に応じて自動的に受話部と送話部の位置切換が行われるので使用者は意識せずとも適当な位置に受話部・送話部が設定される。
【００１８】
【発明の実施の形態】
以下、図面を参照しながら本発明の実施の形態を説明する。
【００１９】
＜実施例１＞
図１は本発明に係る携帯無線機の実施例１を示す斜視図であり、図２は実施例１における実際の通話・データ通信状態での使用例を示す説明図である。
図１に示す携帯無線機は、筐体１１の表面に、液晶部１２、操作部１３、送話部１４、受話部１５が配置され、また、筐体１１上面にはアンテナ部１６が突出して固定されている。その構成は、上からアンテナ部１６、送話部１４、液晶部１２、操作部１３、受話部１５の順に配置されている。すなわち、筐体１１の一端部にアンテナ部１６が形成され、その一端部の近傍に送話部１４が配置され、また該一端部の反対側の他端部の近傍に受話部１５が配置されている。
【００２０】
通話時には、送話部１４を口、受話部１５を耳付近に保持して使用するため、図２に示すようにアンテナ部１６は人体頭部から離れた位置にあるので人体頭部が近傍にあることによるアンテナ特性の劣化を防ぎ、かつ電磁波が人体頭部に与える悪影響が改善されている。さらに液晶面が口付近に位置するので人体に接触することがないため、液晶面が汚れることがない。
【００２１】
またメール、ブラウジング等のデータ通信時は、図２に示すように、アンテナ部１６が筐体１１の上部に位置するので、手がアンテナ部１６に触れることがないためアンテナ特性への影響がなく高品質なデータ通信が可能である。
【００２２】
＜実施例２＞
図３は本発明に係る携帯無線機の実施例２を示す斜視図であり、図４は実施例２における実際の通話・データ通信状態での使用例を示す説明図である。
図３に示す携帯無線機は、筐体２１と筐体２２から構成され、開閉可能な携帯無線機である。筐体２１の表面には液晶２３、送話部２５が配置され、筐体２１上面にアンテナ部２７が突出して固定されている。筐体２２の表面には操作部２４、受話部２６が配置されている。すなわち、筐体２１の一端部にアンテナ部２７が形成され、その一端部の近傍に送話部２５が配置され、また該一端部の反対側の筐体２１の他端部の近傍に受話部２６が配置されている。
【００２３】
通話時には送話部２５を口、受話部２６を耳付近に保持して使用するため、図４に示すように、アンテナ部２７は人体頭部から離れた位置にある。携帯無線機は通話時には開いて用いるため、全長が長くなることによって人体頭部とアンテナ部２７との距離がさらに広くなっているので、人体頭部が近傍にあることによるアンテナ特性の劣化を防ぐ効果が大きく、かつ電磁波が人体頭部に与える悪影響が更に改善されている。
【００２４】
またメール、ブラウジング等のデータ通信時は、図４に示すように、アンテナ部２７が筐体２１の上部に位置し、使用者は筐体２２を握って操作を行うため、手がアンテナに触れることがない。そのため、アンテナ特性への影響がなく高品質なデータ通信が可能である。
【００２５】
＜実施例３＞
図５は本発明に係る携帯無線機の実施例３を示す斜視図である。
また、図５に示すような筐体２０１と摺動可能な筐体２０２から構成され、筐体２０１に液晶部２０３、送話部２０５、操作部２０４、筐体２０１上面に突出して固定されたアンテナ部２０７を有し、筐体２０２に受話部２０６を有する摺動可能な携帯無線機においても同様な効果が得られる。
【００２６】
＜実施例４＞
図６は、本発明に係る携帯無線機の実施例４を示す斜視図であり、図７は、実施例４における実際の通話・データ通信状態での使用例を示す説明図である。
図６に示す携帯無線機は、筐体３１の表面に、液晶部３２、操作部３３、送話部３４、受話部３５が配置され、筐体３１上面にアンテナ部３６が突出して固定され、引出・収納可能となっている。その構成は上からアンテナ部３６、送話部３４、液晶部３２、操作部３３、受話部３５の順に配置されている。筐体３１の一端部にアンテナ部３６が形成され、その一端部の近傍に送話部３４が配置され、また該一端部の反対側の他端部の近傍に受話部３５が配置されている。
【００２７】
通話時には、送話部３４を口、受話部３５を耳付近に保持し、アンテナは引出されて使用されるため、図７に示すようにアンテナ部３６は人体頭部から離れた位置にあり、アンテナを引出すことによって人体頭部によるアンテナ特性の劣化を大幅に改善し、かつ電磁波が人体頭部に与える悪影響が改善されている。
【００２８】
またメール、ブラウジング等のデータ通信時は、図７に示すように、アンテナ部３６が筐体１１の上部に位置するので、手がアンテナ部３６に触れることがないため、アンテナ特性への影響がなく、高品質なデータ通信が可能である。
【００２９】
＜実施例５＞
図８は本発明に係る携帯無線機の実施例５を示す斜視図であり、図９は実施例５における実際の通話・データ通信状態での使用例を示す説明図である。
図８に示す携帯無線機は、筐体４１の表面に、液晶部４２、操作部４３、送話部４４、受話部４５が配置され、筐体４１に内蔵されたアンテナ部４６を有する。その構成は上から送話部４４、液晶部４２、操作部４３、受話部４５の順に配置され、筐体内上部にアンテナ部４６が内蔵されている。すなわち、筐体１１の一端部にアンテナ部４６が形成され、その一端部の近傍に送話部４４が配置され、また該一端部の反対側の他端部の近傍に受話部４５が配置されている。
【００３０】
通話時には、送話部４４を口、受話部４５を耳付近に保持して使用するため、図９に示すように、アンテナ部４６が人体頭部から離れた位置にあり、そのため人体頭部によるアンテナ特性の劣化を改善し、かつ電磁波が人体頭部に与える悪影響が改善されている。
【００３１】
またメール、ブラウジング等のデータ通信時は、図９に示すように、アンテナ部４６が筐体４１の上部に位置するので、手がアンテナに触れることがないため、アンテナ特性への影響がなく、高品質なデータ通信が可能である。
【００３２】
＜実施例６＞
図１０は本発明に係る携帯無線機の実施例６を示す斜視図である。
図１０に示す携帯無線機は、筐体表面に液晶部５２、操作部５３、送話部５４、受話部５５が配置され、筐体５１上面に突出して固定された引出・収納可能なアンテナ部５６を有する。その構成は上からアンテナ部５６、送話部５４、液晶部５２、操作部５３、受話部５５の順に配置されており、第１の実施形態と同様の効果が得られている。すなわち、筐体５１の一端部にアンテナ部５６が形成され、その一端部の近傍に送話部５４が配置され、また該一端部の反対側の他端部の近傍に受話部５５が配置されている。
【００３３】
さらに本携帯無線機は、筐体５１背面に液晶表示方向を反転させるボタン５７を有しており、ボタン５７を押すことによって制御信号が発生し、その制御信号により液晶部５２は表示方向を受話部５５が上方向となるように上下反転する。使用者は通話時にボタン５７を押すことにより、表示方向が上下逆さまである液晶部５２の表示を反転させる。このことによって、通話時にも液晶表示情報が読み取れるようになる。
【００３４】
ボタン５７の代りに送話部５４に音声入力することによって制御信号が発生する装置を用いても同様の効果が得られる。また本携帯無線機の代りに開閉もしくは摺動可能な携帯無線機に以上の仕様を施しても同様の効果が得られる。
【００３５】
＜実施例７＞
図１１は本発明に係る携帯無線機の実施例７を示す斜視図である。
図１１に示す携帯無線機は、筐体６１の表面に、液晶部６２、液晶タッチパネルで構成された操作部６３、送話部６４、受話部６５が配置され、筐体６１上面に突出して固定された引出・収納可能なアンテナ部６６を有する。その構成は上からアンテナ部６６、送話部６４、液晶部６２、操作部６３、受話部６５の順に配置されている。すなわち、筐体６１の一端部にアンテナ部６６が形成され、その一端部の近傍に送話部６４が配置され、また該一端部の反対側の他端部の近傍に受話部６５が配置されている。実施例１と同様の効果が得られている。
【００３６】
また本携帯無線機は液晶部６２の表示方向および操作部６３の表示文字を上下反転させるボタン６７を有しており、ボタン６７を押すことによって制御信号が発生し、その制御信号により液晶部６２の表示及び操作部６３の文字表示を受話部６４が上方向となるように反転させる。
【００３７】
使用者は通話時にボタン６７を押すことより、通話時には表示方向が上下逆さまである液晶部６２及び操作部６３の表示を反転させる。このことによって、使用者は、通話時においても、液晶６２部及び操作部６３の表示情報を読み取れるようになる。さらにボタンをもう１度押すと液晶部６２及び操作部６３の表示はもう１度上下反転する。この仕様によって、使用者は、通話中にデータ通信を行う際に液晶文字表示およびボタン表示文字が逆さまになることがないため、携帯無線機を反転させる必要がなく使い勝手がよい。
【００３８】
また本携帯無線機の代りに開閉もしくは摺動可能な携帯無線機に以上の仕様を施しても同様の効果が得られる。また液晶部６２の表示方向および操作部６３の表示文字の上下反転動作を別々に行うよう構成してもよいことは勿論である。
【００３９】
＜実施例８＞
図１２は本発明に係る携帯無線機の実施例８を示す斜視図である。
図１２に示す携帯無線機は、筐体７１表面に、液晶部７２、操作部７３、送話部７４、受話部７５が配置され、筐体７１上面に突出して固定された引出・収納可能なアンテナ部７６を有する。その構成は上からアンテナ部７６、送話部７４、液晶部７２、操作部７３、受話部７５の順に配置されている。すなわち、筐体７１の一端部にアンテナ部７６が形成され、その一端部の近傍に送話部７４が配置され、また該一端部の反対側の他端部の近傍に受話部７５が配置されている。実施例１と同様の効果が得られている。
【００４０】
さらに本携帯無線機は受話部７５と送話部７４を切換える音声切換として筐体背面にボタン７７が設置されている。
【００４１】
通常７４，７５はそれぞれ送話部、受話部としての機能を有しているが、ボタン７７を押すことによって発生する制御信号によって送話部と受話部の機能が切換わり、受話部の機能を有していた７５は送話部の機能を有し、送話部の機能を有していた７４は受話部の機能を有するようになる。さらにボタンをもう１度押すことによって、送話部の機能を有していた７５は受話部の機能を有し、受話部の機能を有していた７４は送話部の機能を有するようになる。これにより受話部と送話部は２通りの配置が可能であり、従来通りの使用法を望む使用者に対しても対応が可能となる。
【００４２】
これらの効果は開閉または摺動可能な携帯無線機にも同様に適用することが可能であり、またボタン７７を筐体の表面側にもうけても良いことは勿論である。また受話部７５と送話部７４の音声切換動作を液晶部７２の表示方向および操作部７３の表示文字反転動作と連動させても良い。
【００４３】
＜実施例９＞
図１３は本発明に係る携帯無線機の実施例９を示す斜視図である。
図１３に示す携帯無線機は、筐体８１表面に、液晶部８２、操作部８３、送話部８４、受話部８５が配置され、筐体８１上面に突出して固定された引出・収納可能なアンテナ部８６を有する。その構成は上からアンテナ部８６、送話部８４、液晶部８２、操作部８３、受話部８５の順に配置されている。すなわち、筐体８１の一端部にアンテナ部８６が形成され、その一端部の近傍に送話部８４が配置され、また該一端部の反対側の他端部の近傍に受話部８５が配置されている。また本携帯無線機は、受話部６５と送話部８４を切換える音声切換部として筐体８１の背面上下に２つの光センサー８７、８８を設置している。
【００４４】
通常、８４，８５はそれぞれ送話部、受話部としての機能を有しているが、光センサー８８の光が遮られた状態になると発生する制御信号によって、送話部と受話部の機能が切換わり、受話部の機能を有していた８５は送話部の機能を有し、送話部の機能を有していた８４は受話部の機能を有するようになる。また光センサー８７の光が遮られた状態になると発生する制御信号によって送話部の機能を有していた８５は受話部の機能を有し、受話部の機能を有していた８４は送話部の機能を有するようになる。
【００４５】
一般に携帯無線機を使用する場合、使用者は通話・データ通信に関わらず携帯無線機を立てた状態でその下部を握って使用している。これを利用して光センサーを筐体８１背面上下２箇所に設置することで、使用者の携帯無線機を持つ位置によって、適当な受話部・送話部の配置切換を行うことができる。また、この効果は、送話部と受話部を従来の位置で使用したいユーザーにとっても、持ち方によって自動的に受話部と送話部の配置が決定するので、わずらわしい設定をしなくとも従来通り使用することができる。
【００４６】
また光センサーを小型化し、人差し指で遮ることでセンサーを動作させるようにしても同様の効果が得られる。この場合、使用者の人差し指は筐体上部側にあるので、光センサ８８ーを筐体背面上部側、８７を筐体背面下部側に設置する必要がある。これらの効果は開閉または摺動可能な携帯無線機にも同様に適用することが可能である。
【００４７】
＜実施例１０＞
図１４は本発明に係る携帯無線機の実施例１０を示す斜視図である。
図１４に示す携帯無線機は、筐体９１表面に、液晶部９２、操作部９３、送話部９４、受話部９５が配置され、筐体９１上面に突出して固定された引出・収納可能なアンテナ部９６を有する。その構成は上からアンテナ部９６、送話部９４、液晶部９２、操作部９３、受話部９５の順に配置されている。すなわち、筐体９１の一端部にアンテナ部９６が形成され、その一端部の近傍に送話部９４が配置され、また該一端部の反対側の他端部の近傍に受話部９５が配置されている。
【００４８】
また本携帯無線機は、受話部と送話部を切換える音声切換部として通話／データ通信モード変換による切換制御を行っており、操作部９３に通話・データ通信モード切換ボタン９７が設置されている。このボタンは２秒以上押すことによって、通話モードをデータ通信モードに切換え、さらに２秒以上押すことによってデータ通信モードを通話モードに切換える制御信号を発生する。
【００４９】
本携帯無線機は、通話モードでは９４は送話部、９５は受話部に設定されている。モード切換ボタン９７を２秒以上押すことによってデータ通信モードになり、送話部の機能を有していた９４は受話部９４に切換わり、受話部の機能を有していた９５は送話部９５に切換わる。
【００５０】
また、さらにボタンを２秒以上押すことによって通話モードになり、受話部の機能を有していた９４は送話部９４に切換わり、送話部の機能を有していた９５は受話部９５に切換わる。
【００５１】
通話・データ通信時にモードを切換えることによって、簡単かつ確実に受話部・送話部の位置を切換えることができる。これらの効果は、開閉または摺動可能な携帯無線機にも同様に適用することが可能である。
なお、上記各実施の形態を種々組み合わせることは可能である。
【００５２】
【発明の効果】
以上の様に本発明の携帯無線機は、送話部がアンテナの近くに位置し、受話部が逆側に位置するため通話時には携帯無線機を上下反転させて使用するので、アンテナが人体頭部から離れた状態になりアンテナ近傍に人体頭部があることによるシャドウイングや減衰等のアンテナ特性の劣化を防ぐことができ、なおかつ電磁波が人体頭部に与える悪影響を改善することができる。また、この時表示部が操作部より下側に位置するので、表示部が人体に触れることがないので表示部の表面が汚れることがない。
【００５３】
また、開閉可能な携帯無線機に関して、開いた場合に携帯無線機に全長が長いため、通話時にアンテナと人体頭部の距離をさらに広げることができ、さらに効果的である。
【００５４】
また、データ通信時には液晶部を上、操作部を下にして使用するので、アンテナは携帯無線機上部に位置し、キー部操作時にアンテナに触れることがないので、手によるアンテナ特性劣化の影響を受けにくく、高品質なデータ通信が可能である。
【００５５】
また、表示部及び操作部文字表示を上下反転可能にすることによって、通話時にも表示部の情報が読み取ることができる。
【００５６】
さらに、受話部と送話部の配置切換を可能にすることによって、２通りの配置が可能となり、従来通りの使用法を好む使用者に対しても対応が可能である。
【図面の簡単な説明】
【図１】本発明に係る携帯無線機の実施例１を示す斜視図である。
【図２】実施例１における実際の通話・データ通信状態での使用例を示す説明図である。
【図３】本発明に係る携帯無線機の実施例２を示す斜視図である。
【図４】実施例２における実際の通話・データ通信状態での使用例を示す説明図である。
【図５】本発明に係る携帯無線機の実施例３を示す斜視図である。
【図６】本発明に係る携帯無線機の実施例４を示す斜視図である。
【図７】実施例４における実際の通話・データ通信状態での使用例を示す説明図である。
【図８】本発明に係る携帯無線機の実施例５を示す斜視図である。
【図９】実施例５における実際の通話・データ通信状態での使用例を示す説明図である。
【図１０】本発明に係る携帯無線機の実施例６を示す斜視図である。
【図１１】本発明に係る携帯無線機の実施例７を示す斜視図である。
【図１２】本発明に係る携帯無線機の実施例８を示す斜視図である。
【図１３】本発明に係る携帯無線機の実施例９を示す斜視図である。
【図１４】本発明に係る携帯無線機の実施例１０を示す斜視図である。
【図１５】従来の携帯無線機の一例を示す説明図である。
【図１６】従来の携帯無線機の他の例を示す説明図である。
【符号の説明】
１１，２１，２２，３１，４１，５１，６１，７１，８１，９１，１０１，１１１，２０１，２０２　　筐体
１２，２３，３２，４２，５２，６２，７２，８２，９２，１０２，１１２，２０３　　液晶部
１３，２４，３３，４３，５３，６３，７３，８３，９３，１０３，１１３，２０４　　表示部
１４，２５，３４，４４，５４，６４，１１５，２０５　　送話部
１５，２６，３５，４５，５５，６５，１１４，２０６　　受話部
７４，７５，８４，８５，９４，９５，１０４，１０５　　送話部または受話部（変更可）
１６，２７，３６，４６，５６，６６，７６，８６，９６，１０６，１１６，２０７　　アンテナ部
７７　　ボタン
８７，８８　　光センサー
９７　　スイッチ部
【図１】
2004015414.tif 000003
【図２】
2004015414.tif 000004
【図３】
2004015414.tif 000005
【図４】
2004015414.tif 000006
【図５】
2004015414.tif 000007
【図６】
2004015414.tif 000008
【図７】
2004015414.tif 000009
【図８】
2004015414.tif 000010
【図９】
2004015414.tif 000011
【図１０】
2004015414.tif 000012
【図１１】
2004015414.tif 000013
【図１２】
2004015414.tif 000014
【図１３】
2004015414.tif 000015
【図１４】
2004015414.tif 000016
【図１５】
2004015414.tif 000017
【図１６】
2004015414.tif 000018